(57)【要約】【課題】ラダーコードの幅規制のために補強ピースを設ける必要がなく、部品点数削減によりコスト低減及び製造工程の簡素化を図ることのできるブラインド及びブラインド内蔵型複層ガラスを提供する。【解決手段】縦方向複数のスラット２０を、スラット２０の幅方向に対向する一組の縦紐２１ａ，２１ｂを有したラダーコード２１で角度可変に支持し、スラット２０の長手方向に伸びる回転軸２２と共に回転する回転部品２３によりラダーコード２１の上端部を支持し、回転部品２３はスラット２０の幅と略同じ間隔で離隔した一組の支持端部２３ｃ，２３ｄを備え、支持端部２３ｃ，２３ｄでそれぞれラダーコード２１が支持され、回転部品２３の、支持端部２３ｃ，２３ｄが離隔する方向と直交する方向の幅をスラット２０の幅より小さくした。【選択図】図５
2013227800.tif 000002
【特許請求の範囲】
【請求項１】
縦方向複数のスラットを、該スラットの幅方向に対向する一組の縦紐を有したラダーコードで角度可変に支持し、前記スラットの長手方向に伸びる回転軸と共に回転する回転部品により前記ラダーコードの上端部を支持したブラインドにおいて、
前記回転部品は前記スラットの幅と略同じ間隔で離隔した一組の支持端部を備え、該支持端部でそれぞれ前記ラダーコードが支持され、前記回転部品は、前記支持端部が離隔する方向と直交する方向の幅が前記スラットの幅より小さいことを特徴とするブラインド。
【請求項２】
前記回転部品は前記支持端部間を構成する上面部と下面部を有し、該上面部と下面部はそれぞれ曲面状をなすように形成されてなることを特徴とする請求項１記載のブラインド。
【請求項３】
前記回転部品は、前記支持端部が離隔する方向と直交する方向の幅が、前記スラットの全閉状態での垂直投影幅と略同幅であることを特徴とする請求項１または２記載のブラインド。
【請求項４】
２枚のガラス板を対向配置して、該２枚のガラス板間に空間部を形成し、該空間部内に請求項１〜３のいずれか１項に記載のブラインドを納めてなることを特徴とするブラインド内蔵型複層ガラス。
【発明の詳細な説明】
【技術分野】
【０００１】
本発明は、縦方向複数のスラットをラダーコードで角度可変に支持したブラインド及びブラインド内蔵型複層ガラスに関し、特にラダーコードの上端部を支持する回転部品でラダーコードの幅を規制するブラインド及びブランド内蔵型複層ガラスに関する。
【背景技術】
【０００２】
ブラインドは、縦方向複数のスラットを、該スラットの幅方向に対向する一組の縦紐を有したラダーコードで角度可変に支持し、ラダーコードは上端部が回転軸と連動する回転部品に支持されて構成される。外部からの操作によって回転部品が回転するのに伴い、一組の縦紐が上下逆方向に変位され、ラダーコードに支持されたスラットがそれぞれ一方向に傾斜し、開閉を行うことができる。
【０００３】
ブラインドは、窓サッシの室内側に設けられることが多いが、窓サッシを構成する複層ガラス内に形成される空間部に納められて、室内側からの操作によってスラットを開閉させるものも知られている。かかるブラインド及びブラインド内蔵型複層ガラスとしては、例えば特許文献１に挙げるようなものがある。
【先行技術文献】
【特許文献】
【０００４】
【特許文献１】特開２０１０−２２２９２４号公報
【発明の概要】
【発明が解決しようとする課題】
【０００５】
図７には、従来のブラインドの上端付近断面図を示している。図７のブラインド７０は、框体７５内に納められるガラス体７６内に設けられるものである。ブラインド７０において、スラット７１を全開状態としたとき、スラット７１は略平行な状態となるから、ラダーコード７２を構成する一組の縦紐間の間隔は、スラット７１の幅と略同じであることが必要である。一方で、回転部品７３による縦紐の支持間隔は、回転部品７３の取付スペースの問題上、スラット７１の幅よりも小さいため、従来は、最上端に配置されるスラットの位置に、硬質材からなりスラット７１の幅と略同じ幅を有する補強ピース７４を取付け、この補強ピース７４によってラダーコード７２の幅を規制するようにしていた。
【０００６】
しかし、ラダーコードの幅規制のために補強ピースを設けると、部品点数が増加して、コスト増を招くと共に、製造工程も複雑になるという問題があった。
【０００７】
本発明は前記課題を鑑みてなされたものであり、ラダーコードの幅規制のために補強ピースを設ける必要がなく、部品点数削減によりコスト低減及び製造工程の簡素化を図ることのできるブラインド及びブラインド内蔵型複層ガラスを提供することを目的とする。
【課題を解決するための手段】
【０００８】
前記課題を解決するため、本発明に係るブラインドは、縦方向複数のスラットを、該スラットの幅方向に対向する一組の縦紐を有したラダーコードで角度可変に支持し、前記スラットの長手方向に伸びる回転軸と共に回転する回転部品により前記ラダーコードの上端部を支持したブラインドにおいて、
前記回転部品は前記スラットの幅と略同じ間隔で離隔した一組の支持端部を備え、該支持端部でそれぞれ前記ラダーコードが支持され、前記回転部品は、前記支持端部が離隔する方向と直交する方向の幅が前記スラットの幅より小さいことを特徴として構成されている。
【０００９】
また、本発明に係るブラインドは、前記回転部品は前記支持端部間を構成する上面部と下面部を有し、該上面部と下面部はそれぞれ曲面状をなすように形成されてなることを特徴として構成されている。
【００１０】
さらに、本発明に係るブラインドは、前記回転部品は、前記支持端部が離隔する方向と直交する方向の幅が、前記スラットの全閉状態での垂直投影幅と略同幅であることを特徴として構成されている。
【００１１】
さらにまた、本発明に係るブラインド内蔵型複層ガラスは、２枚のガラス板を対向配置して、該２枚のガラス板間に空間部を形成し、該空間部内に請求項１〜３のいずれか１項に記載のブラインドを納めてなることを特徴として構成されている。
【発明の効果】
【００１２】
本発明に係るブラインドによれば、回転軸と共に回転しラダーコードを支持する回転部品は、スラットの幅と略同じ間隔で離隔した一組の支持端部を備え、支持端部が離隔する方向と直交する方向の幅は、スラットの幅より小さいことにより、スラットの開閉前後において回転部品によりラダーコードを幅規制することができるので、ラダーコードの幅規制のために補強ピースを設ける必要がなく、部品点数削減によりコスト低減及び製造工程の簡素化を図ることができる。
【００１３】
また、本発明に係るブラインドによれば、回転部品は支持端部間を構成する上面部と下面部を有し、上面部と下面部はそれぞれ曲面状をなしているので、回転部品の回転に伴い、一組の縦紐間の距離を連続的に変化させることができ、円滑にスラットを開閉させることができる。
【００１４】
さらに、本発明に係るブラインドによれば、回転部品は、支持端部が離隔する方向と直交する方向の幅が、スラットの全閉状態での垂直投影幅と略同幅であることにより、スラットを全閉状態とした際に、ラダーコードの上端部をスラットの垂直投影幅に応じた幅に規制でき、スラットを上端部まで確実に閉じることができる。
【図面の簡単な説明】
【００１５】
【図１】ブラインド内蔵型複層ガラスの斜視図である。
【図２】ブラインド内蔵型複層ガラスを保持した障子の縦断面図である。
【図３】ブラインド内蔵型複層ガラスを保持した障子の横断面図である。
【図４】ブラインドの上辺一側部付近拡大斜視図である。
【図５】スラット全開状態におけるブラインド内蔵型複層ガラスの上端部付近拡大縦断面図である。
【図６】スラット全閉状態におけるブラインド内蔵型複層ガラスの上端部付近拡大縦断面図である。
【図７】従来のブラインドの上端付近断面図である。
【発明を実施するための形態】
【００１６】
本発明の実施形態について図面に沿って詳細に説明する。本実施形態では、２枚のガラス板１０，１０間に空間部１２を形成し、該空間部１２内にブラインド４を納めてなるブラインド内蔵型複層ガラス１について説明する。このブラインド内蔵型複層ガラス１は、サッシを構成する障子に納められるものである。図１には、ブラインド内蔵型複層ガラス１の斜視図を示している。
【００１７】
図１に示すように、ブラインド内蔵型複層ガラス１は、ガラス板１０を有し内部にブラインド４を納めたガラス体２と、ブラインド４の開閉操作を行うための開閉機構を内部に備えた操作体３とが、横方向に連結して構成されている。操作体３には、上下方向にスライド操作自在な操作部４４が設けられており、操作部４４をスライド操作することにより、操作体３内の操作機構が動作し、操作機構と連動してブラインド４が開閉する。ブラインド４は、縦方向複数のスラット２０がラダーコード２１で角度可変に支持されている。
【００１８】
図２にはブラインド内蔵型複層ガラス１を保持した障子の縦断面図を、図３にはブラインド内蔵型複層ガラス１を保持した障子の横断面図を、それぞれ示している。障子は、上框５０と下框５１及び左右の縦框５２，５２を方形状に框組みしてなる框体５内に、ブラインド内蔵型複層ガラス１を保持して構成されている。
【００１９】
上框５０は、室外側の金属上框５０ａと室内側の樹脂上框５０ｂにより構成されており、内周面にはブラインド内蔵型複層ガラス１の外周縁部を保持するガラス収納溝５０ｃが形成される。下框５１は、室外側の金属下框５１ａと室内側の樹脂下框５１ｂにより構成されており、内周面にはブラインド内蔵型複層ガラス１の外周縁部を保持するガラス収納溝５１ｃが形成される。また、縦框５２は、室外側の金属縦框５２ａと室内側の樹脂縦框５２ｂにより構成されており、内周面にはブラインド内蔵型複層ガラス１の外周縁部を保持するガラス収納溝５２ｃが形成される。
【００２０】
ブラインド内蔵型複層ガラス１は、ガラス収納溝５０ｃ，５１ｃ，５２ｃに納められるガラス押さえ部品５３を介して外周縁部が挟持固定されている。ガラス押さえ部品５３は、軟質、半硬質、あるいは硬質材料からなり、断面略コ字状に形成され、室内外面がそれぞれブラインド内蔵型複層ガラス１の室内外面に圧接し、挟持固定している。
【００２１】
ブラインド内蔵型複層ガラス１を構成するガラス体２は、２枚のガラス板１０，１０を室内外に対向配置し、封止部１１によって両者を一体化すると共に、ガラス板１０，１０間に空間部１２を形成している。
【００２２】
空間部１２の上辺には、断面略コ字状の上端部品２５が長手方向に沿って設けられており、下辺には断面コ字状の下端部品２６が長手方向に沿って設けられている。また、空間部１２の左右縦辺には、それぞれ断面コ字状の縦端部部品２７，２７が長手方向に沿って設けられている。これらは、ガラス体２の強度向上を図ると共に、ブラインド４の四周周縁部を室内外から覆うことで、意匠性の向上を図るために設けられている。
【００２３】
図２は、スラット２０が全開の状態を表している。複数のスラット２０は、いずれも同形状で同幅に形成されており、全開の際には水平に配置されている。ラダーコード２１は、スラット２０の幅方向に対向する一組の縦紐２１ａ，２１ｂと、一組の縦紐２１ａ，２１ｂ間に渡される横紐２１ｃとを有し、横紐２１ｃ上にスラット２０が載置され支持されている。
【００２４】
ラダーコード２１の上端部は、スラット２０の長手方向に延びる回転軸２２と共に回転する回転部品２３に固定されている。回転軸２２及び回転部品２３は、上端部品２５内に収納されていて、ガラス体２の外方からは見えないように配置されている。
【００２５】
回転部品２３は、一方向に長い扁平状に形成されており、それぞれ断面弧状の曲面状とされた上面部２３ａと下面部２３ｂを有し、これらの両端部には、それぞれ一組の縦紐２１ａ，２１ｂが固定されてこれらを支持する支持端部２３ｃ，２３ｄが設けられている。回転部品２３は、両支持端部２３ｃ，２３ｄが離隔する一方向の幅がスラット２０の幅と略同幅であり、該一方向と直交する方向の幅がスラット２０の幅よりも小さくなるように形成されている。
【００２６】
図２に示されているように、ラダーコード２１の下端部には、長手方向に沿ってボトムレール２４が設けられている。ボトムレール２４は、スラット２０の幅と略同幅に形成されており、下面側に一組の縦紐２１ａ，２１ｂがそれぞれ固定される。ボトムレール２４が設けられていることにより、ラダーコード２１の下部に重量を付加し、上端部で支持された一組の縦紐２１ａ，２１ｂにテンションを与えることにより、一組の縦紐２１ａ，２１ｂを安定的に上下逆方向に変位させ、下端部のスラット２０まで安定的に開閉させることができる。
【００２７】
図４には、ブラインド４の上辺一側部付近拡大斜視図を示している。この図に示すように、回転軸２２の一端部には、ガラス体２の外部における操作に伴い発生する回転動作を回転軸２２に伝達する操作連動体３０が設けられている。操作連動体３０は、ガラス体２間の空間部１２内に配置され、一部がガラス体２の外部に露出する。
【００２８】
回転部品２３は、ラダーコード２１の上端部に配置されるピース状の部品として構成されており、回転軸２２が挿入されてこれと一体化する軸挿入部２３ｅがスラット２０の長手方向に沿って形成されている。また、前述のように、回転部品２３の両端部には、一組の縦紐２１ａ、２１ｂを支持する支持端部２３ｃ，２３ｄが設けられており、回転部品２３でラダーコード２１を吊り下げた状態としている。
【００２９】
図５には、スラット２０全開状態におけるブラインド内蔵型複層ガラス１の上端部付近拡大縦断面図を示している。支持端部２３ｃ，２３ｄが水平方向に離隔するように回転部品２３を配置したとき、ラダーコード２１を構成する横紐２１ｃは、両端部が上下方向に同位置となるので、スラット２０は水平な状態となる。このとき、上下に隣接するスラット２０間には室内外方向に開放された隙間ができ、この隙間から採光することができる。
【００３０】
ラダーコード２１を構成する一組の縦紐２１ａ，２１ｂ間の距離は、上端部において支持端部２３ｃ，２３ｄ間の距離に規制される。回転部品２３において、支持端部２３ｃ，２３ｄ間の距離はスラット２０の幅と略同幅であるため、支持端部２３ｃ，２３ｄが水平方向に離隔していると、一組の縦紐２１ａ，２１ｂ間の距離は、上端部においてスラット２０の幅と略同幅に規制される。このように、回転部品２３の幅によって一組の縦紐２１ａ，２１ｂ間の距離を上端部で規制しているため、上端部のスラット２０に幅規制部品などを設ける必要がなく、部品点数を削減すると共に、組立も容易にすることができる。
【００３１】
図６には、スラット２０全閉状態におけるブラインド内蔵型複層ガラス１の上端部付近拡大縦断面図を示している。回転軸２２を一方向に回転させると、回転部品２３もそれに伴って回転する。回転部品２３が回転すると、一方の支持端部２３ｃは下方に、他方の支持端部２３ｄは上方に、それぞれ移動すると共に、両者の水平方向距離は狭くなる。これにより、縦紐２１ａは下方に、縦紐２１ｂが上方に、それぞれ変位し、横紐２１ｃの両端の上下方向位置が異なることとなるので、横紐２１ｃに支持されたスラット２０は傾斜する。また、それと共に、一組の縦紐２１ａ，２１ｂ間の距離は、傾斜したスラット２０の垂直投影幅と同幅となるように変化する。これにより、スラット２０間の隙間が室内外方向には閉塞されるので、遮光することができる。
【００３２】
回転部品２３は、支持端部２３ｃが離隔する方向と直交する方向には、スラット２０の幅よりも狭い幅を有しているので、回転部品２３が回転するのに伴い、その垂直投影幅は次第に小さくなる。したがって、一組の縦紐２１ａ，２１ｂが上下逆方向に変位した際に、これらの間隔が傾斜したスラット２０の垂直投影幅に応じた幅となるように、上端部で規制することができる。
【００３３】
そして、回転部品２３の支持端部２３ｃが離隔する方向と直交する方向の幅は、スラット２０の全閉状態での垂直投影幅と略同幅であり、スラット２０の全閉状態において回転部品２３は９０°近くまで回転するため、スラット２０の全閉状態でも、スラット２０の垂直投影幅に応じた幅に、ラダーコード２１の上端部を規制することができる。
【００３４】
特に、回転部品２３において支持端部２３ｃ，２３ｄ間をつなぐ上面部２３ａと下面部２３ｂが、断面弧状の曲面状に形成されていることにより、一組の縦紐２１ａ，２１ｂ間の距離を連続的に変化させることができ、回転軸２２の回転に伴い円滑にスラット２０を開閉させることができる。
【００３５】
以上、本発明の実施形態について説明したが、本発明の適用は本実施形態には限られず、その技術的思想の範囲内において様々に適用されうるものである。本実施形態では、複層ガラス内に納められるブラインド４につき説明したが、単体で設けられる通常のブラインドであっても、本発明を適用することができ、ラダーコード上端における幅規制のための部品を不要とすることができる。
【符号の説明】
【００３６】
１    ブラインド内蔵型複層ガラス
２    ガラス体
３    操作体
４    ブラインド
５    框体
１０    ガラス板
１１    封止部
１２    空間部
２０    スラット
２１    ラダーコード
２１ａ  縦紐
２１ｂ  縦紐
２１ｃ  横紐
２２    回転軸
２３    回転部品
２３ａ  上面部
２３ｂ  下面部
２３ｃ  支持端部
２３ｄ  支持端部
２３ｅ  軸挿入部
２４    ボトムレール
３０    操作連動体
５０    上框
５１    下框
５２    縦框
５３    ガラス押さえ部品
【図１】
2013227800.tif 000003
【図２】
2013227800.tif 000004
【図３】
2013227800.tif 000005
【図４】
2013227800.tif 000006
【図５】
2013227800.tif 000007
【図６】
2013227800.tif 000008
【図７】
2013227800.tif 000009